(57)【特許請求の範囲】
【請求項１】
ＯＬＥＤ表示パネルのグレースケール補正表の圧縮方法であって、
ＯＬＥＤ表示パネルが有する一組のグレースケール補正表をエンコーダに伝送してエンコードするとき、前記一組のグレースケール補正表に含まれ色彩チャネルが一致しつつグレースケールが相違する複数枚のグレースケール補正表を差分演算することにより、前記複数枚のグレースケール補正表の代わりにこれらに対応する基準画像及び差分画像を取得するステップ１０と、
前記複数枚のグレースケール補正表の代わりにこれらに対応する基準画像及び差分画像をエンコーダに伝送するステップ２０と、
一組の前記グレースケール補正表と前記基準画像及び前記差分画像とをエンコーダによりエンコード圧縮するステップ３０と、を有し、
前記ステップ３０において、グレースケール補正表をエンコーダによりエンコード圧縮するとき、全体の圧縮率が満たされることを前提として、エンコードする前後の各グレースケール補正表の品質がいずれも所定の品質に達し、又は各グレースケール補正表の品質が近づくように、各グレースケール補正表の量子化係数を自己適応調整し、
解凍したグレースケール補正表は、条件Ａ又は条件Ｂを満たし、
全ての画像品質がＶｇよりも大きいことを条件Ａとし、最高品質と最低品質との差がＶｔよりも小さいことを条件Ｂとした場合、
ステップ３０は、
ａ）量子化係数の初期化をすることと、
ｂ）エンコード圧縮を行い、実際圧縮率＞所定の圧縮率である場合、量子化係数を大きくし、実際圧縮率≦所定の圧縮率である場合、量子化係数を小さくし、
量子化係数がＱｐbaseとなるとき、実際圧縮率が所定の圧縮率以下であることを満たすまでに、量子化係数の調整の規則に従って繰り返してエンコードを行い、かつ、量子化係数がＱｐbase−１となるとき、実際圧縮率が所定の圧縮率よりも大きくなり、エンコードの繰り返しを停止し、解凍された全てのグレースケール補正表は、いずれも条件Ａ又は条件Ｂを満たす場合、エンコードを終了させることと、
ｃ）さもなければ、閾値ｖａｌｕｅ１を設定し、
Ｉ．エンコードの品質を小から大まで順に配列し、配列されたエンコードの品質評価は、Ｖ１、Ｖ２、Ｖ３…ＶＮ（Ｖ１＜Ｖ２＜…＜ＶＮ）であり、Ｖ１、Ｖ２、Ｖ３…ＶＮにそれぞれ対応するグレースケール補正表は、Ｇ１、Ｇ２…ＧＮであり、エンコード品質の評価方法において、Ｖの値が小さいほど品質が高くなり、
ＩＩ．エンコードの品質が中程度であるグレースケール補正表ＧN/2を基準とし、Ｎ枚のグレースケール補正表を三つに分類し、Ｖi＜ＶN/2−ｖａｌｕｅ１である条件を満たすグレースケール補正表をαとし、ＶN/2−ｖａｌｕｅ１≦Ｖi≦ＶN/2＋ｖａｌｕｅ１である条件を満たすグレースケール補正表をβとし、Ｖi＞ＶN/2＋ｖａｌｕｅ１である条件を満たすグレースケール補正表をγとし、ただし、αのグレースケール補正表のエンコードの品質が最も良く、βのグレースケール補正表のエンコードの品質は中程度であり、γのグレースケール補正表のエンコードの品質が最も悪く、
ＩＩＩ．γのグレースケール補正表の量子化係数を小さくし、αのグレースケール補正表の量子化係数を大きくし、βのグレースケール補正表の量子化係数を不変にしたうえで、エンコードを再び行うことと、を有し、
条件Ａ又は条件Ｂが満たされるようにステップｂ）〜ｃ）を繰り返し、エンコードを終了させる、
ＯＬＥＤ表示パネルのグレースケール補正表の圧縮方法。
【請求項２】
請求項１に記載のＯＬＥＤ表示パネルのグレースケール補正表の圧縮方法であって、
ステップ１０において、色彩チャネルが一致しつつグレースケールが相違するＮ枚のグレースケール補正表から１枚のグレースケール補正表を基準画像として取り出し、他のＮ−１枚のグレースケール補正表を差分操作する、
ＯＬＥＤ表示パネルのグレースケール補正表の圧縮方法。
【請求項３】
請求項１に記載のＯＬＥＤ表示パネルのグレースケール補正表の圧縮方法であって、
ステップ１０において、色彩チャネルが一致しつつグレースケールが相違するＮ枚のグレースケール補正表をＭ組に分割し、ただし、Ｍ≦Ｎ／２であり、組ごとにＮ／Ｍ枚のグレースケール補正表があり、組ごとにＮ／Ｍ枚のグレースケール補正表から１枚のグレースケール補正表を基準画像として取り出し、他のＮ／Ｍ枚−１枚のグレースケール補正表を差分操作する、
ＯＬＥＤ表示パネルのグレースケール補正表の圧縮方法。
【請求項４】
請求項１に記載のＯＬＥＤ表示パネルのグレースケール補正表の圧縮方法であって、
ステップ１０において、色彩チャネルが一致しつつグレースケールが相違するＮ枚のグレースケール補正表から１枚のグレースケール補正表を基準画像として取り出し、他のＮ−１枚のグレースケール補正表を差分操作することによりＮ−１枚の差分画像を取得し、
Ｎ−１枚の差分画像から１枚の差分画像を基準として取り出し、他のＮ−２枚のグレースケール補正表を再び差分操作する、
ＯＬＥＤ表示パネルのグレースケール補正表の圧縮方法。
【請求項５】
請求項１に記載のＯＬＥＤ表示パネルのグレースケール補正表の圧縮方法であって、
エンコード圧縮されたものをデコードすることにより、グレースケール補正表に対応する基準画像及び差分画像を取得し、基準画像と差分画像とを重畳することにより、解凍したグレースケール補正表を取得するステップをさらに有する、
ＯＬＥＤ表示パネルのグレースケール補正表の圧縮方法。
【請求項６】
請求項１に記載のＯＬＥＤ表示パネルのグレースケール補正表の圧縮方法であって、
前記画像品質をピークＳ／Ｎ比より判定する、
ＯＬＥＤ表示パネルのグレースケール補正表の圧縮方法。
【請求項７】
請求項１に記載のＯＬＥＤ表示パネルのグレースケール補正表の圧縮方法であって、
前記量子化係数は、１０に初期化される、
ＯＬＥＤ表示パネルのグレースケール補正表の圧縮方法。
【請求項８】
ＯＬＥＤ表示パネルのグレースケール補正表の圧縮方法であって、
ＯＬＥＤ表示パネルが有する一組のグレースケール補正表をエンコーダに伝送してエンコードするとき、前記一組のグレースケール補正表に含まれ色彩チャネルが一致しつつグレースケールが相違する複数枚のグレースケール補正表を差分演算することにより、前記複数枚のグレースケール補正表の代わりにこれらに対応する基準画像及び差分画像を取得するステップ１０と、
前記複数枚のグレースケール補正表の代わりにこれらに対応する基準画像及び差分画像をエンコーダに伝送するステップ２０と、
一組の前記グレースケール補正表と前記基準画像及び前記差分画像とをエンコーダによりエンコード圧縮するステップ３０と、
エンコード圧縮されたものをデコードすることにより、グレースケール補正表に対応する基準画像及び差分画像を取得し、基準画像と差分画像とを重畳することにより、解凍したグレースケール補正表を取得するステップと、を有し、
ステップ３０において、グレースケール補正表をエンコーダによりエンコード圧縮するとき、全体の圧縮率が満たされることを前提として、エンコードする前後の各グレースケール補正表の品質がいずれも所定の品質に達し、又は各グレースケール補正表の品質が近づくように、各グレースケール補正表の量子化係数を自己適応調整し、
解凍したグレースケール補正表は、条件Ａ又は条件Ｂを満たし、
全ての画像品質がＶｇよりも大きいことを条件Ａとし、最高品質と最低品質との差がＶｔよりも小さいことを条件Ｂとした場合、
ステップ３０は、
ａ）量子化係数の初期化をすることと、
ｂ）エンコード圧縮を行い、実際圧縮率＞所定の圧縮率である場合、量子化係数を大きくし、実際圧縮率≦所定の圧縮率である場合、量子化係数を小さくし、
量子化係数がＱｐbaseとなるとき、実際圧縮率が所定の圧縮率以下であることを満たすまでに、量子化係数の調整の規則に従って繰り返してエンコードを行い、かつ、量子化係数がＱｐbase−１となるとき、実際圧縮率が所定の圧縮率よりも大きくなり、エンコードの繰り返しを停止し、解凍された全てのグレースケール補正表は、いずれも条件Ａ又は条件Ｂを満たす場合、エンコードを終了させることと、
ｃ）さもなければ、閾値ｖａｌｕｅ１を設定し、
Ｉ．エンコードの品質を小から大まで順に配列し、配列されたエンコードの品質評価は、Ｖ１、Ｖ２、Ｖ３…ＶＮ（Ｖ１＜Ｖ２＜…＜ＶＮ）であり、Ｖ１、Ｖ２、Ｖ３…ＶＮにそれぞれ対応するグレースケール補正表は、Ｇ１、Ｇ２…ＧＮであり、エンコード品質の評価方法において、Ｖの値が小さいほど品質が高くなり、
ＩＩ．エンコードの品質が中程度であるグレースケール補正表ＧN/2を基準とし、Ｎ枚のグレースケール補正表を三つに分類し、Ｖi＜ＶN/2−ｖａｌｕｅ１である条件を満たすグレースケール補正表をαとし、ＶN/2−ｖａｌｕｅ１≦Ｖi≦ＶN/2＋ｖａｌｕｅ１である条件を満たすグレースケール補正表をβとし、Ｖi＞ＶN/2＋ｖａｌｕｅ１である条件を満たすグレースケール補正表をγとし、ただし、αのグレースケール補正表のエンコードの品質が最も良く、βのグレースケール補正表のエンコードの品質中程度であり、γのグレースケール補正表のエンコードの品質が最も悪く、
ＩＩＩ．γのグレースケール補正表の量子化係数を小さくし、αのグレースケール補正表の量子化係数を大きくし、βのグレースケール補正表の量子化係数を不変にしたうえで、エンコードを再び行うことと、を有し、
条件Ａ又は条件Ｂが満たされるようにステップｂ）〜ｃ）を繰り返し、エンコードを終了させ、
前記画像品質をピークＳ／Ｎ比より判定する、
ＯＬＥＤ表示パネルのグレースケール補正表の圧縮方法。
【請求項９】
請求項８に記載のＯＬＥＤ表示パネルのグレースケール補正表の圧縮方法であって、
ステップ１０において、色彩チャネルが一致しつつグレースケールが相違するＮ枚のグレースケール補正表から１枚のグレースケール補正表を基準画像として取り出し、他のＮ−１枚のグレースケール補正表を差分操作する、
ＯＬＥＤ表示パネルのグレースケール補正表の圧縮方法。
【請求項１０】
請求項８に記載のＯＬＥＤ表示パネルのグレースケール補正表の圧縮方法であって、
ステップ１０において、色彩チャネルが一致しつつグレースケールが相違するＮ枚のグレースケール補正表をＭ組に分割し、ただし、Ｍ≦Ｎ／２であり、組ごとにＮ／Ｍ枚のグレースケール補正表があり、組ごとにＮ／Ｍ枚のグレースケール補正表から１枚のグレースケール補正表を基準画像として取り出し、他のＮ／Ｍ枚−１枚のグレースケール補正表を差分操作する、
ＯＬＥＤ表示パネルのグレースケール補正表の圧縮方法。
【請求項１１】
請求項８に記載のＯＬＥＤ表示パネルのグレースケール補正表の圧縮方法であって、
ステップ１０において、色彩チャネルが一致しつつグレースケールが相違するＮ枚のグレースケール補正表から１枚のグレースケール補正表を基準画像として取り出し、他のＮ−１枚のグレースケール補正表を差分操作することによりＮ−１枚の差分画像を取得し、
Ｎ−１枚の差分画像から１枚の差分画像を基準として取り出し、他のＮ−２枚のグレースケール補正表を再び差分操作する、
ＯＬＥＤ表示パネルのグレースケール補正表の圧縮方法。
【請求項１２】
請求項８に記載のＯＬＥＤ表示パネルのグレースケール補正表の圧縮方法であって、
前記量子化係数は、１０に初期化される、
ＯＬＥＤ表示パネルのグレースケール補正表の圧縮方法。
【発明の詳細な説明】
【技術分野】
【０００１】
本発明は、表示技術領域に関し、特にＯＬＥＤ表示パネルのグレースケール補正表の圧縮方法に関する。
【背景技術】
【０００２】
有機発光ダイオード（ＯＬＥＤ）表示装置は、自己発光、低駆動電圧、高発光効率、短い応答時間、高解像度高コントラスト、略１８０°の視野角、広い使用温度範囲、柔軟な表示及び大面積フルカラー表示などの多くの利点を有し、業界で最も有望な表示装置として認められている。ＯＬＥＤは、駆動方法に応じてパッシブマトリックスＯＬＥＤ（Ｐａｓｓｉｖｅ  Ｍａｔｒｉｘ  ＯＬＥＤ，ＰＭＯＬＥＤ）とアクティブマトリックスＯＬＥＤ（Ａｃｔｉｖｅ  Ｍａｔｒｉｘ  ＯＬＥＤ，ＡＭＯＬＥＤ）との二種類に分類される。ここでは、ＡＭＯＬＥＤは、アレイ状に配列される画素を有し、自発表示型に属するため、発光効率が高く、一般的に高解像度の大型表示装置として使用されている。
【０００３】
現在、フラット表示パネルを製造する過程において、製造方法等による輝度のむらがよく発生してしまい、これによって、明るいドットが発生したり暗いドットが発生したりし、パネルの表示品質が低下する。ＯＬＥＤ表示パネルの輝度のむら等という不具合を解消するためには、先行技術では、ＯＬＥＤ表示パネルにおける各画素の補正情報を補正表に記憶している。映像を映すとき、駆動パネルは、補正表を参照しながら信号を調整することにより、パネルの暗い領域の信号を高くしたり、パネルの明るい領域の信号を低くしたりして均一の表示効果が得られる。
【０００４】
補正表では、各画素は、一組の補正情報に対応しており、各組の補正情報は、一つ又は複数の補正データを含む。グレースケール補正表については、補正データが特定のグレースケールの調整値である。先行技術では、補正表の大きさは、一般的には、画素数と各組の補正情報の大きさとの掛け算であり、補正表は、システム記憶スペースの大分部を占めている。
【０００５】
一つのＯＬＥＤ表示パネルは、色彩チャネル及びグレースケールが相違する複数枚の補正表に対応する。データ転送の時間を減らしてコストダウンを図るためには、補正表を圧縮して記憶する必要がある。グレースケール補正表については、補正表に記憶される補正データは、特定のグレースケールの調整値であるため、各グレースケール補正表は、実際一枚の画像に対応する。よって、グレースケール補正表への圧縮は、画像への圧縮でもある。
【０００６】
相違するグレースケール補正表（すなわち、画像）の間には、大量の冗長が存在する。一致する色彩チャネルについては、相違するグレースケールの画像の間の冗長が特に顕著なものであり、画像間のテクスチャーが似ている。相違するグレースケール画像間の冗長を除去する方法があれば、補正表の圧縮効率を大幅に高めることができる。
【０００７】
一方、各グレースケール補正表は、ある色彩チャネル、あるグレースケールの補正効果に影響を与えることがある。表示パネルの一組グレースケール補正表には、ある補正表の品質が不足すると、パネルの品質に影響を与えてしまう。
【０００８】
従来のエンコーダは、４：０：０、４：２：２及び４：４：４の色彩空間のエンコードに対応することができる。画像、すなわちグレースケール補正表を従来のエンコーダによりエンコードすることで、グレースケール補正表の圧縮の目的を実現することができる。しかしながら、先行技術では、グレースケール補正表をエンコードする際にオールイントラ（Ａｌｌ  Ｉｎｔｒａ）の配置を用いている。すなわち、各補正表については、イントラでエンコードしている。グレースケール補正表をエンコードするとき、各補正表が独立しており、補正表と補正表との間には、関連しない。エンコード時において、イントラの冗長を予測モジュールにより減らすことができるものの、相違する補正表間の冗長が考慮されていない。量子化係数を設定するとき、全体目標の最適化を考慮することなく、補正表の圧縮効果を目標としているに過ぎない。これに対し、実際には、一組の補正表の全ての画像品質が所定の品質に達する場合、表示パネルの品質が保証される。すなわち、従来のＯＬＥＤ表示パネルのグレースケール補正表の圧縮方法の欠点は、各画像を圧縮するとき、画像間の冗長を考慮せず、量子化係数を設定するとき、圧縮する複数枚の補正表の全体の最適化を考慮していないことである。
【発明の概要】
【０００９】
そこで、本発明は、同一組のＯＬＥＤ補正表において、色彩チャネルが一致しつつグレースケールが相違する画像間の冗長をできるだけ除去することにより、補正表の圧縮効率及び性能を高めることができるＯＬＥＤ表示パネルのグレースケール補正表を提供することを目的とする。
【００１０】
上記目的を実現するため、本発明のある一方の態様によれば、ＯＬＥＤ表示パネルのグレースケール補正表の圧縮方法であって、
ＯＬＥＤ表示パネルが有する一組のグレースケール補正表をエンコーダに伝送してエンコードするとき、前記一組のグレースケール補正表に含まれ色彩チャネルが一致しつつグレースケールが相違する複数枚のグレースケール補正表を差分演算することにより、前記複数枚のグレースケール補正表の代わりにこれらに対応する基準画像及び差分画像を取得するステップ１０と、
前記複数枚のグレースケール補正表の代わりにこれらに対応する基準画像及び差分画像をエンコーダに伝送するステップ２０と、
受信したグレースケール補正表をエンコーダによりエンコード圧縮するステップ３０と、を有するＯＬＥＤ表示パネルのグレースケール補正表の圧縮方法が提供される。
【００１１】
本態様において、ステップ３０において、グレースケール補正表をエンコーダによりエンコード圧縮するとき、全体の圧縮率が満たされることを前提として、エンコードする前後の各グレースケール補正表の品質がいずれも所定の品質に達し、又は各グレースケール補正表の品質が近づくように、各グレースケール補正表の量子化係数を自己適応調整する。
【００１２】
本態様において、ステップ１０において、色彩チャネルが一致しつつグレースケールが相違するＮ枚のグレースケール補正表から１枚のグレースケール補正表を基準画像として取り出し、他のＮ−１枚のグレースケール補正表を差分操作する。
【００１３】
本態様において、ステップ１０において、色彩チャネルが一致しつつグレースケールが相違するＮ枚のグレースケール補正表をＭ組に分割し、ただし、Ｍ≦Ｎ／２であり、組ごとにＮ／Ｍ枚のグレースケール補正表があり、組ごとにＮ／Ｍ枚のグレースケール補正表から１枚のグレースケール補正表を基準画像として取り出し、他のＮ／Ｍ枚−１枚のグレースケール補正表を差分操作する。
【００１４】
本態様において、ステップ１０において、色彩チャネルが一致しつつグレースケールが相違するＮ枚のグレースケール補正表から１枚のグレースケール補正表を基準画像として取り出し、他のＮ−１枚のグレースケール補正表を差分操作することによりＮ−１枚の差分画像を取得し、
Ｎ−１枚の差分画像から１枚の差分画像を基準として取り出し、他のＮ−２枚のグレースケール補正表を再び差分操作する。
【００１５】
本態様において、エンコード圧縮されたものをデコードすることにより、グレースケール補正表に対応する基準画像及び差分画像を取得し、基準画像と差分画像とを重畳することにより、解凍したグレースケール補正表を取得するステップをさらに有する。
【００１６】
本態様において、解凍したグレースケール補正表は、条件Ａ又は条件Ｂを満たし、
全ての画像品質がＶｇよりも大きいことを条件Ａとし、最高品質と最低品質との差がＶｔよりも小さいことを条件Ｂとした場合、
ステップ３０は、
ａ）量子化係数の初期化をすることと、
ｂ）エンコード圧縮を行い、実際圧縮率＞所定の圧縮率である場合、量子化係数を大きくし、実際圧縮率≦所定の圧縮率である場合、量子化係数を小さくし、
量子化係数がＱｐbaseとなるとき、実際圧縮率が所定の圧縮率以下であることを満たすまでに、量子化係数の調整の規則に従って繰り返してエンコードを行い、かつ、量子化係数がＱｐbase−１となるとき、実際圧縮率が所定の圧縮率よりも大きくなり、エンコードの繰り返しを停止し、解凍された全てのグレースケール補正表は、いずれも条件Ａ又は条件Ｂを満たす場合、エンコードを終了させることと、
ｃ）さもなければ、閾値ｖａｌｕｅ１を設定し、
Ｉ．エンコードの品質を小から大まで順に配列し、配列されたエンコードの品質評価は、Ｖ１、Ｖ２、Ｖ３…ＶＮ（Ｖ１＜Ｖ２＜…＜ＶＮ）であり、Ｖ１、Ｖ２、Ｖ３…ＶＮにそれぞれ対応するグレースケール補正表は、Ｇ１、Ｇ２…ＧＮであり、エンコード品質の評価方法において、Ｖの値が小さいほど品質が高くなり、
ＩＩ．エンコードの品質が中程度であるグレースケール補正表ＧN/2を基準とし、Ｎ枚のグレースケール補正表を三つに分類し、Ｖi＜ＶN/2−ｖａｌｕｅ１である条件を満たすグレースケール補正表をαとし、ＶN/2−ｖａｌｕｅ１≦Ｖi≦ＶN/2＋ｖａｌｕｅ１である条件を満たすグレースケール補正表をβとし、Ｖi＞ＶN/2＋ｖａｌｕｅ１である条件を満たすグレースケール補正表をγとし、ただし、αのグレースケール補正表のエンコードの品質が最も良く、βのグレースケール補正表のエンコードの品質中程度であり、γのグレースケール補正表のエンコードの品質が最も悪く、
ＩＩＩ．γのグレースケール補正表の量子化係数を小さくし、αのグレースケール補正表の量子化係数を大きくし、βのグレースケール補正表の量子化係数を不変にしたうえで、エンコードを再び行うことと、を有し、
条件Ａ又は条件Ｂが満たされるようにステップｂ）〜ｃ）を繰り返し、エンコードを終了させる。
【００１７】
本態様において、前記画像品質をピークＳ／Ｎ比より判定する。
【００１８】
本態様において、前記量子化係数は、１０に初期化される。
【００１９】
本発明のある他方の態様によれば、ＯＬＥＤ表示パネルのグレースケール補正表の圧縮方法であって、
ＯＬＥＤ表示パネルが有する一組のグレースケール補正表をエンコーダに伝送してエンコードするとき、前記一組のグレースケール補正表に含まれ色彩チャネルが一致しつつグレースケールが相違する複数枚のグレースケール補正表を差分演算することにより、前記複数枚のグレースケール補正表の代わりにこれらに対応する基準画像及び差分画像を取得するステップ１０と、
前記複数枚のグレースケール補正表の代わりにこれらに対応する基準画像及び差分画像をエンコーダに伝送するステップ２０と、
受信したグレースケール補正表をエンコーダによりエンコード圧縮するステップ３０と、
エンコード圧縮されたものをデコードすることにより、グレースケール補正表に対応する基準画像及び差分画像を取得し、基準画像と差分画像とを重畳することにより、解凍したグレースケール補正表を取得するステップと、を有し、
ステップ３０において、グレースケール補正表をエンコーダによりエンコード圧縮するとき、全体の圧縮率が満たされることを前提として、エンコードする前後の各グレースケール補正表の品質がいずれも所定の品質に達し、又は各グレースケール補正表の品質が近づくように、各グレースケール補正表の量子化係数を自己適応調整し、
解凍したグレースケール補正表は、条件Ａ又は条件Ｂを満たし、
全ての画像品質がＶｇよりも大きいことを条件Ａとし、最高品質と最低品質との差がＶｔよりも小さいことを条件Ｂとした場合、
ステップ３０は、
ａ）量子化係数の初期化をすることと、
ｂ）エンコード圧縮を行い、実際圧縮率＞所定の圧縮率である場合、量子化係数を大きくし、実際圧縮率≦所定の圧縮率である場合、量子化係数を小さくし、
量子化係数がＱｐbaseとなるとき、実際圧縮率が所定の圧縮率以下であることを満たすまでに、量子化係数の調整の規則に従って繰り返してエンコードを行い、かつ、量子化係数がＱｐbase−１となるとき、実際圧縮率が所定の圧縮率よりも大きくなり、エンコードの繰り返しを停止し、解凍された全てのグレースケール補正表は、いずれも条件Ａ又は条件Ｂを満たす場合、エンコードを終了させることと、
ｃ）さもなければ、閾値ｖａｌｕｅ１を設定し、
Ｉ．エンコードの品質を小から大まで順に配列し、配列されたエンコードの品質評価は、Ｖ１、Ｖ２、Ｖ３…ＶＮ（Ｖ１＜Ｖ２＜…＜ＶＮ）であり、Ｖ１、Ｖ２、Ｖ３…ＶＮにそれぞれ対応するグレースケール補正表は、Ｇ１、Ｇ２…ＧＮであり、エンコード品質の評価方法において、Ｖの値が小さいほど品質が高くなり、
ＩＩ．エンコードの品質が中程度であるグレースケール補正表ＧN/2を基準とし、Ｎ枚のグレースケール補正表のうち、Ｖi＜ＶN/2−ｖａｌｕｅ１である条件を満たすグレースケール補正表をαとし、ＶN/2−ｖａｌｕｅ１≦Ｖi≦ＶN/2＋ｖａｌｕｅ１である条件を満たすグレースケール補正表をβとし、Ｖi＞ＶN/2＋ｖａｌｕｅ１である条件を満たすグレースケール補正表をγとし、ただし、αのグレースケール補正表の品質が最も良く、βのグレースケール補正表の品質中程度であり、γのグレースケール補正表の品質が最も悪いであり、
ＩＩＩ．γのグレースケール補正表の量子化係数を小さくし、αのグレースケール補正表の量子化係数を大きくし、βのグレースケール補正表の量子化係数を不変にしたうえで、エンコードを再び行うこととを有し、
条件Ａ又は条件Ｂが満たされるようにステップｂ）〜ｃ）を繰り返し、エンコードを終了させ、
前記画像品質をピークＳ／Ｎ比より判定するＯＬＥＤ表示パネルのグレースケール補正表の圧縮方法が提供される。
【００２０】
本発明の態様のＯＬＥＤ表示パネルのグレースケール補正表の圧縮方法によれば、同一組のＯＬＥＤ補正表において、色彩分量が一致しつつ相違するグレースケール補正表の間においてフレームレベルの差分を行うことにより、補正表の圧縮効率及び性能を高めることができる。各補正表の量子化係数を自己適応調整することにより、全体の圧縮率が満たされることを前提とし、エンコードを行う前後の各補正表の品質が所定の品質に達し、又は各補正表の品質が近づくことができる。
【図面の簡単な説明】
【００２１】
【図１】本発明に係るＯＬＥＤ表示パネルのグレースケール補正表の圧縮方法のフローチャートである。
【図２】本発明に係るＯＬＥＤ表示パネルのグレースケール補正表の圧縮方法の好適例の全体アルゴリズムのフローチャートである。
【図３】本発明に係るＯＬＥＤ表示パネルのグレースケール補正表の圧縮方法の好適例の補正表の差分エンコードの過程を示す概略図である。
【図４Ａ】グレースケール補正表ｏｌｅｄ＿２＿０２４の画像概略図である。
【図４Ｂ】グレースケール補正表ｏｌｅｄ＿２＿０６４の画像概略図である。
【図４Ｃ】グレースケール補正表ｏｌｅｄ＿２＿０２４とｏｌｅｄ＿２＿０６４との差分画像概略図である。
【発明を実施するための形態】
【００２２】
以下、本発明の技術手段及びその他の有益な効果を分かりやすくするために、添付図面を参照しながら本発明の具体的な実施形態について詳細に説明する。
【００２３】
図１は、本発明に係るＯＬＥＤ表示パネルのグレースケール補正表の圧縮方法のフローチャートである。
本発明は、
ＯＬＥＤ表示パネルが有する一組のグレースケール補正表をエンコーダに伝送してエンコードするとき、前記一組のグレースケール補正表に含まれ色彩チャネルが一致しつつグレースケールが相違する複数枚のグレースケール補正表を差分演算することにより、前記複数枚のグレースケール補正表の代わりにこれらに対応する基準画像及び差分画像を取得するステップ１０と、
前記複数枚のグレースケール補正表の代わりにこれらに対応する基準画像及び差分画像をエンコーダに伝送するステップ２０と、
受信したグレースケール補正表をエンコーダによりエンコード圧縮するステップ３０と、を有する。
【００２４】
図２は、本発明に係るＯＬＥＤ表示パネルのグレースケール補正表の圧縮方法の好適例の全体アルゴリズムのフローチャートである。図３は、当該好適例の補正表の差分エンコードの過程を示す概略図である。
【００２５】
本発明の同一組のＯＬＥＤ補正表において、色彩チャネルが一致しつつ相違するグレースケール補正表の間においてフレームレベルの差分を行うことにより、補正表の圧縮効率及び性能を高めることができる。エンコード端末は、各補正表の量子化係数を自己適応調整することにより、全体の圧縮率が所定の圧縮率に達するとともに、全体の画像品質を最適化にすることができる。
【００２６】
一つのＯＬＥＤパネルは、複数枚の補正表に対応している。色彩チャネルが一致しつつグレースケールが相違するＮ枚の画像については、まず差分演算を行ってから、基準量、差分量をエンコーダモジュールに伝送し、全体の圧縮率が所定の条件を満たし、かつ、補正表の画像品質がいずれも基準に達し、又は補正表の画像品質の差が閾値よいも小さくなるまでに、量子化係数を繰り返して調整する。
【００２７】
一組のＯＬＥＤ補正表から色彩チャネルが一致しつつグレースケールが相違するＮ枚の画像を取り出し、それぞれｇｒａｙ１、ｇｒａｙ２、ｇｒａｙ３…ｇｒａｙＮを付与し、差分演算を行う。
【００２８】
選択的に、エンコード端末は、１枚を基準として取り出し、その他のＮ−１枚を差分操作してもよい。そして、１枚の基準画像とＮ−１枚の差分画像とをそれぞれエンコードする。デコード端末は、差分画像及び基準画像を復元し、互いに組わせることによりデコード画像を取得する。
【００２９】
選択的に、これらの補正表をＭ（Ｍ≦Ｎ／２）組に分割してもよく、組ごとにＮ／Ｍ枚の補正表がある。エンコード端末は、組ごとに１枚のグレースケール補正表を基準画像として取り出し、他のＮ／Ｍ枚−１枚のグレースケール補正表を差分操作する。そして、デコード端末がデコードを行うと、差分画像を復元し、差分画像に対応する基準画像を重畳することにより、デコード画像を取得する。
【００３０】
選択的に、エンコード端末は、１枚を基準として取り出し、その他のＮ−１枚を差分操作し、Ｎ−１枚の差分画像から他の１枚を基準として取り出し、残りのＮ−２枚を差分操作してもよい。そして、１枚の基準画像、１枚の１次差分画像及びＮ−２の２次差分画像をそれぞれエンコードする。そして、デコード端末がデコードを行うと、先にＮ−２枚の差分画像を復元し、次にＮ−１枚の差分画像を復元することにより、デコード画像を取得する。
【００３１】
Ｎ枚の補正表をエンコードするとき、量子化係数を自己適応調整する。まず、解凍したグレースケール補正表は、条件Ａ又は条件Ｂを満たし、
全ての画像品質がＶｇよりも大きいことを条件Ａとし、最高品質と最低品質との差がＶｔよりも小さいことを条件Ｂとした場合、
ステップ３０は、
ａ）量子化係数の初期化をすることと、
ｂ）エンコード圧縮を行い、実際圧縮率＞所定の圧縮率である場合、量子化係数を大きくし、実際圧縮率≦所定の圧縮率である場合、量子化係数を小さくし、
量子化係数がＱｐbaseとなるとき、実際圧縮率が所定の圧縮率以下であることを満たすまでに、量子化係数の調整の規則に従って繰り返してエンコードを行い、かつ、量子化係数がＱｐbase−１となるとき、実際圧縮率が所定の圧縮率よりも大きくなり、エンコードの繰り返しを停止し、解凍された全てのグレースケール補正表は、いずれも条件Ａ又は条件Ｂを満たす場合、エンコードを終了させることと、
ｃ）さもなければ、閾値ｖａｌｕｅ１を設定し、
Ｉ．エンコードの品質を小から大まで順に配列し、配列されたエンコードの品質評価は、Ｖ１、Ｖ２、Ｖ３…ＶＮ（Ｖ１＜Ｖ２＜…＜ＶＮ）であり、Ｖ１、Ｖ２、Ｖ３…ＶＮにそれぞれ対応するグレースケール補正表は、Ｇ１、Ｇ２…ＧＮであり、エンコード品質の評価方法において、Ｖの値が小さいほど品質が高くなり、
ＩＩ．エンコードの品質が中程度であるグレースケール補正表ＧN/2を基準とし、Ｎ枚のグレースケール補正表を三つに分類する。Ｎ枚のグレースケール補正表のうち、Ｖi＜ＶN/2−ｖａｌｕｅ１である条件を満たすグレースケール補正表をαとし、ＶN/2−ｖａｌｕｅ１≦Ｖi≦ＶN/2＋ｖａｌｕｅ１である条件を満たすグレースケール補正表をβとし、Ｖi＞ＶN/2＋ｖａｌｕｅ１である条件を満たすグレースケール補正表をγとし、ただし、αのグレースケール補正表の品質が最も良く、βのグレースケール補正表の品質中程度であり、γのグレースケール補正表の品質が最も悪いであり、
ＩＩＩ．γのグレースケール補正表の量子化係数を小さくし、αのグレースケール補正表の量子化係数を大きくし、βのグレースケール補正表の量子化係数を不変にしたうえで、エンコードを再び行うこととを有する。
【００３２】
条件Ａ又は条件Ｂが満たされるようにステップ（ｂ）〜（ｃ）を繰り返し、エンコードを終了させる。このとき、Ｎ枚の補正表の全体の圧縮性能の最適化を保証することができる。
【００３３】
１）以下、フレームレベル差分アルゴリズムの具体的な算出ステップを列挙して説明する（３枚の補正表を例とする）。
【００３４】
（１）画像ｇｒａｙ１を例として、差分画像ｇｒａｙ１’を取得する過程を説明する。まず、ｇｒａｙ１、ｇｒａｙ２の平均値を算出し、それぞれｍｅａｎ（ｇｒａｙ１），ｍｅａｎ（ｇｒａｙ２）とする。ｇｒａｙ１の各画素値については、式（１）に基づいて差分操作する（補正表の解像度をｗｉｄｔｈ×ｈｅｉｇｈｔ（幅×高さ）とし、ｗｉｄｔｈ＞ｉ≧０、ｈｅｉｇｈｔ＞ｊ≧０）。
【００３５】
ｇｒａｙ１（ｉ，ｊ）＝ｇａｒｙ２（ｉ，ｊ）＋ｍｅａｎ（ｇｒａｙ１）−ｍｅａｎ（ｇｒａｙ２）−ｇｒａｙ１（ｉ，ｊ）      （１）
【００３６】
ｇｒａｙ１の最小値をｇｒａｙ＿ｍｉｎとする。このとき、ｇｒａｙ１画像の画素値は、正の値を有してもよいし、負の値を有してもよい。したがって、ｇｒａｙ１画像の各画素値が０以上であることが保証されるように式（２）に基づいてｇｒａｙ１を調整する。
【００３７】
ｇｒａｙ１（ｉ，ｊ）’＝ｇｒａｙ１（ｉ，ｊ）−ｇｒａｙ＿ｍｉｎ      （２）
【００３８】
ｇｒａｙ１における全ての画素値を処理した後、ｇｒａｙ１の差分画像ｇｒａｙ１’を取得することができる（ｇｒａｙ２を取得する過程と似ている）。
【００３９】
ｇｒａｙ１については、ｄｉｆｆ＿ｖａｌ＝ｍｅａｎ（ｇｒａｙ１）−ｍｅａｎ（ｇｒａｙ２）−ｇｒａｙ＿ｍｉｎとし、式（１）と式（２）＝式（３）である。
【００４０】
ｇｒａｙ１（ｉ，ｊ）’＝ｇｒａｙ２（ｉ，ｊ）−ｇｒａｙ１（ｉ，ｊ）＋ｄｉｆｆ＿ｖａｌ      （３）
【００４１】
（２）ＨＥＶＣのエンコードフローに従って、ｇｒａｙ２、ｇｒａｙ１’、ｇｒａｙ３’をエンコードする。エンコード対ｇｒａｙ１’、ｇｒａｙ３’の２枚の画像については、それぞれ係数ｄｉｆｆ＿ｖａｌをエンコードしている。
【００４２】
（３）デコード端末は、コードストリームからｄｉｆｆ＿ｖａｌを読み出することにより、解凍した画像、ｇｒａｙ２、ｇｒａｙ１’、ｇｒａｙ３’を取得する。式（４）に基づいて差分画像を復元する。
【００４３】
ｇｒａｙ１（ｉ，ｊ）＝ｇｒａｙ２（ｉ，ｊ）−ｇｒａｙ１（ｉ，ｊ）’＋ｄｉｆｆ＿ｖａｌ      （４）
【００４４】
（４）画像の出力順番を調整し、最終的に解凍した補正表画像ｇｒａｙ１、ｇｒａｙ２、ｇｒａｙ３を取得する。
【００４５】
図４Ａ、図４Ｂ及び図４Ｃは、それぞれグレースケール補正表ｏｌｅｄ＿２＿０２４、ｏｌｅｄ＿２＿０６４及び両者の差分画像である。補正表間において差分することにより、高周波数の分量を除去する。ｏｌｅｄ＿２＿０２４の差分画像は、その元画像に比べ、情報が大幅に減少している。このため、これを圧縮するとき、エンコードの効率が大幅に向上する。
【００４６】
以下、本発明の補正表間における差分の圧縮性能を具体的な試験例により検証する。
【００４７】
試験の配列は、４組のＯＬＥＤパネルｏｌｅｄ３、ｏｌｅｄ６、ｏｌｅｄ９、ｏｌｅｄ１２（数値は、ＯＬＥＤパネルの寸法を区別するためのものである。）である。４組のＯＬＥＤ補正表は、いずれも４種類の色彩分量（Ｒ、Ｇ、Ｂ、Ｗ）及び３種類のグレースケールから構成される。各種類の色彩分量は、３種類のグレースケールに対応し、補正表画像が１２枚ある。ここでは、ｏｌｅｄ３の解像度は、１９２０×２１６０であり、ｏｌｅｄ６、ｏｌｅｄ９、ｏｌｅｄ１２の解像度は、１０８０×１９２０である。圧縮性能の結果は、表（１）に示される。
【００４８】
【表１】
0006913827.tif 000002
【００４９】
表（１）から分かるように、本発明の方法によれば、４組のＯＬＥＤ補正表をグレースケール差分によりエンコードするとき、そのＢＤ−ｒａｔｅ（同じ品質である場合のコード率）が平均１４．２％減少し、そのエンコードの効率が大幅に向上する。
【００５０】
２）以下、適宜補正表ＱＰを調整することについては、具体例を挙げながら説明する。下記のステップを含む。
【００５１】
Ｎ枚の補正表画像をエンコードするとき、量子化係数を自己適応調整する。圧縮した各画像については、ＰＳＮＲ≧５０であることを条件Ａとし、圧縮した画像間については、ΔＰＳＮＲ≦２（ΔＰＳＮＲは、相違する画像間のＰＳＮＲの差分値である。）であることを条件Ｂとし、仮に所定の圧縮率を３５％とし、画像を元の大きさの３５％に圧縮する。
【００５２】
（１）仮に初期量子化係数を１０とする。
【００５３】
（２）圧縮エンコードを行うとき、実際圧縮率＞３５％であり、量子化係数を大きくする。量子化係数がＱｐbaseとなるとき、実際圧縮率≦３５％であることを満たすまでに、繰り返してエンコードを行い、エンコードの繰り返しを停止する。圧縮した全てのグレースケール補正表は、いずれも条件Ａを満たす場合、エンコードを終了させる。
【００５４】
（３）さもなければ（適切の閾値ｖａｌｕｅ１を設定し、ｖａｌｕｅ１を２とする。）、
Ｉ．エンコードの品質を小から大まで順に配列し（最初の１枚の補正表のエンコードの品質が最も良く、最後の１枚の補正表のエンコードの品質が最も悪い）、配列されたエンコードの品質評価は、Ｖ１、Ｖ２、Ｖ３…ＶＮであり、Ｖ１、Ｖ２、Ｖ３…ＶＮにそれぞれ対応するグレースケール補正表は、Ｇ１、Ｇ２…ＧＮである。
ＩＩ．エンコードの品質が中程度であるグレースケール補正表ＧN/2を基準とし、Ｎ枚のグレースケール補正表を三つに分類する。Ｎ枚のグレースケール補正表のうち、Ｖi＜ＶN/2−２である条件を満たすグレースケール補正表をαとし、ＶN/2−２≦Ｖi≦ＶN/2＋２である条件を満たすグレースケール補正表をβとし、Ｖi＞ＶN/2＋２である条件を満たすグレースケール補正表をγとし、ただし、αのグレースケール補正表の品質が最も良く、βのグレースケール補正表の品質中程度であり、γのグレースケール補正表の品質が最も悪いである。
ＩＩＩ．品質が最も悪いため、γのグレースケール補正表の量子化係数を小さくし、品質が最も良いため、αのグレースケール補正表の量子化係数を大きくし、βのグレースケール補正表の量子化係数を不変にしたうえで、エンコードを再び行う。
仮にαの補正表ＰＳＮＲ＞５４であり、γの補正表ＰＳＮＲ＜５０であり、βの補正表ＰＳＮＲは、５０≦ＰＳＮＲ≦５４である場合、αのグレースケール補正表の量子化係数を大きくし、γのグレースケール補正表の量子化係数を小さくし、βのグレースケール補正表の量子化係数を不変にする。
【００５５】
（４）条件Ａ又は条件Ｂが満たされるまでにステップ（２）及び（３）を繰り返し、エンコードを終了させる。このとき、Ｎ枚の補正表の全体の圧縮性能の最適化を保証することができる。
【００５６】
以上より、本発明のＯＬＥＤ表示パネルのグレースケール補正表の圧縮方法によれば、同一組のＯＬＥＤ補正表において、色彩分量が一致しつつ相違するグレースケール補正表の間においてフレームレベルの差分を行うことにより、補正表の圧縮効率及び性能を高めることができる。各補正表の量子化係数を自己適応調整することにより、全体の圧縮率が満たされることを前提とし、エンコードを行う前後の各補正表の品質が所定の品質に達し、又は各補正表の品質が近づくことができる。
【００５７】
上述のとおり、当業者が本発明の技術手段及び技術思想によってなし得るその他の改変及び変形は、いずれも本発明の特許請求の範囲に含まれる。
【図１】
0006913827.tif 000003
【図２】
0006913827.tif 000004
【図３】
0006913827.tif 000005
【図４Ａ】
0006913827.tif 000006
【図４Ｂ】
0006913827.tif 000007
【図４Ｃ】
0006913827.tif 000008